(57)【要約】      （修正有）【課題】ＬＥＤランプセットを発光源とし、同時に高輝度が得られ、且つ放熱効果に優れたＬＥＤランプを提供する。【解決手段】ＬＥＤランプは、殼体、ランプカップ、カバー体を含んで構成され、前記殼体内のランプカップに回路板と複数のＬＥＤを互い違いにタワー状に排列して成るＬＥＤランプセットが設置され、且つ、前記各ＬＥＤのピンが前記ランプカップ内側の内壁上まで延伸され、これにより前記ランプが高輝度の効果を達成すると同時に、ピンにより前記ＬＥＤランプセットの放熱効果を高めたことを特徴とする。【選択図】図１
0003142001.tif 000002
【実用新案登録請求の範囲】
【請求項１】
殼体、ランプカップ及びカバー体から構成され、そのうち、前記殼体の一側に接合部が設けられ、且つ他方の一側に螺合部が設けられ、前記螺合部に導通部材が螺合固定され、前記ランプカップが前記殼体内に設置され、且つ前記ランプカップ内に回路板が設置され、前記回路板上にLED（Ｌｉｇｈｔ  Eｍｉｔｔｉｎｇ  Dｉｏde；発光ダイオード）ランプセットが接続され、前記カバー体が前記接合部に取り付けられることを特徴とする、LEDランプ。        
【請求項２】
前記殼体の前記螺合部近くに底板が設置され、前記底板上に導孔が穿設され、前記回路板から延伸された導線を前記導孔から外部に延伸させて導通することを特徴とする、請求項１に記載のLEDランプ。
【請求項３】
前記カバー体の側縁部にさらに集光層が設けられ、前記集光層がランプ光源の強度を増加することを特徴とする、請求項１に記載のLEDランプ。        
【請求項４】
前記LEDランプセットが複数のLEDを互い違いにタワー状に排列して成り、且つ、前記各LEDのピンが前記ランプカップ内側の内壁上まで延伸されたことを特徴とする、請求項１に記載のLEDランプ。
【請求項５】
前記殼体と前記カバー体の組み立て方式が、さらに貼り付け式、嵌合式、リング式及びしっかりと固定できるその他関連の方式とすることができることを特徴とする、請求項１に記載のLEDランプ。        
【請求項６】
前記LEDの排列方式がさらに、縦方向の排列、横方向の排列、複数の並列排列、及び関連の複数の排列方式とすることができることを特徴とする、請求項４に記載のLEDランプ。
【請求項７】
前記LEDがさらに、単色LED、白色光LED、フルカラーLED及び関連のＲＧB（赤、緑、青の三原色）の組み合わせを備えた発光部材であることを特徴とする、請求項４に記載のLEDランプ。        
【考案の詳細な説明】
【技術分野】
【０００１】
本考案はランプに関し、特に、LED（Light Emitting Diode；発光ダイオード）ランプセットを発光源とし、同時に高輝度が得られ、且つ放熱効果に優れたLEDランプに関する。
【背景技術】
【０００２】
光源は生活の中で非常に重要なものであり、建築物内または一般住宅内を問わず、充分な光源がなければ照明を提供することができず、光源の照射によって人々は室内で希望の事柄を行うことができる。一般によく見受けられる光源には蛍光灯があるが、蛍光灯は大きな空間を占用し、且つ全体の外観も精緻さに欠ける。
【０００３】
また、現今の住宅または建築物において、凝った内装が徐々に普遍的になってきているが、現今内装を行うとき、往々にして白熱電球を使用して全体の美観を向上している。同時に前記白熱電球は使用時に比較的空間を占用せず、且つ前記白熱電球に設置されたランプ座体が使用上より高い多元性を提供し、内装を施した後に表現される視覚的効果をより多元的にすることができる。
【０００４】
前記白熱電球は主にガラス内にタングステン金属から成るフィラメント状のタングステンフィラメントが設置され、前記ガラスは磨りガラスまたはクリアガラス等の加工方式とすることができ、ガラスに平滑な状態を形成させ、且つ導電部材をランプ座体内に螺合して固定し、タングステンフィラメントに通電してタングステンフィラメント電球内のタングステンフィラメントを発熱させ、熱くなったタングステンフィラメントが光を放ち、必要な光源を発生する。
【０００５】
しかしながら、上述の白熱電球は使用時に次のような問題と欠点が確実に存在するため、改良が待たれている。
【０００６】
白熱電球はタングステンフィラメントを発光体としており、前記タングステンフィラメントは長時間使用すると焼き切れてしまいやすいという問題があり、前記タングステンフィラメントが焼き切れてしまうと、白熱電球全体を交換しなければならなくなり、交換の費用が発生する。且つ、前記白熱電球は消費する電力が高く、且つ使用されるタングステンフィラメントが発生する光源の輝度は充分でないため、必要な照明効果を達することができない。また、前記白熱電球は外囲がガラスで包覆されているため、使用時に注意する必要があり、うっかり落としてしまうと前記白熱電球が割れてしまうという問題もある。
【０００７】
このため、いかに上述の従来の問題と欠点を解決するかが、本考案の考案者と関連産業に従事するメーカーが改善を図る問題である。
【考案の開示】
【考案が解決しようとする課題】
【０００８】
本考案の考案者は上述の欠点に鑑みて、関連資料を収集し、多方面の評価と考慮を経て、且つ関連産業に従事した長年の経験に基づき試作と修正を重ね、ついにこのLEDランプセットを発光源としたLEDランプの実用新案の開発にいたったものである。
【０００９】
本考案の主な目的は、前記ランプのカップ内の回路板上にLEDランプセットを接続して発光源とし、前記LEDランプセットが発生する光源がカバー体を介して射出され、必要な光源を発生し、上述の技術により、従来の白熱電球に存在する輝度が低い、焼き切れてしまいやすい、焼き切れてしまった後に全体を交換する必要があるという問題点を打破し、高輝度且つ焼き切れやすいという問題を解決した、実用的且つ進歩的なLEDランプを提供することにある。
【００１０】
本考案の別の目的は、前記LEDランプセットが複数のLEDを互い違いにタワー状に排列して成り、且つ、前記各LEDのピンが係外展至前記ランプカップ内側の内壁上まで延伸され、上述の技術により、LEDの放熱効果が悪いという問題点を打破し、前記LEDランプセットの放熱効果を高めた、EDランプを提供することにある。      
【課題を解決するための手段】
【００１１】
本考案のLEDランプは、殼体、ランプカップ、カバー体を含んで構成され、前記殼体内のランプカップに回路板と複数のLEDを互い違いにタワー状に排列して成るLEDランプセットが設置され、且つ、前記各LEDのピンが前記ランプカップ内側の内壁上まで延伸され、これにより前記ランプが高輝度の効果を達成すると同時に、ピンにより前記LEDランプセットの放熱効果を高めたことを特徴とする。
【考案の効果】
【００１２】
全ての図面に示すように、本考案の使用時には、従来技術と比較して次のような利点が確実に存在する。
一、  
前記ランプカップC内には複数のLEDC２１を互い違いにタワー状に排列して成るLEDランプセットC２が設けられており、前記LEDランプセットC２により高輝度の光源を発生し、且つ焼き切れやすいという問題を解決することができる。
二、  
前記各LEDC２１のピンC２２が前記ランプカップC内側の内壁C１２上まで延伸されており、前記LEDランプセットC２が光源を発生するとき、ピンを介して熱エネルギーを伝導し、優れた放熱効果を得ることができる。
【考案を実施するための最良の形態】
【００１３】
上述の目的及び効果を達するため、本考案が採用する技術手段及び構造について、以下、図面と本考案の最良の実施例に基づき詳細に説明し、その特徴と機能について完全な理解を促す。
【実施例１】
【００１４】
図１、図２及び図３に本考案の最良の実施例の立体図、立体分解図及び部分立体図をそれぞれ示す。これらの図からはっきりとわかるように、本考案のランプAは殼体B、ランプカップC、カバー体Dを含んで成る。
【００１５】
そのうち、前記殼体Bは一側に底板B１が設置され、前記底板B１上に導孔B１１が穿設され、且つ孔部B１２が設けられ、さらに前記底板B１は下方向に螺合部B１３が延伸され、前記螺合部B１３上に導通部材B１４が螺合固定されると共に、前記殼体Bの他方の一側に接合部B２が延伸され、前記接合部B２の一側辺に嵌合体B２１が設けられ、前記嵌合体B２１上に嵌入溝B２２が形成され、且つ、前記殼体B内にランプカップCが収容される。ランプカップC内には回路板C１が設置され、前記回路板C１上から導線C１１が延伸される。複数のLEDC２１が互い違いにタワー状に排列されてLEDランプセットC２が構成され、且つ、前記各LEDC２１のピンC２２が前記ランプカップC内側の内壁C１２上まで延伸される。
【００１６】
また、前記ランプカップCの底板B１と接合される箇所に前記孔部B１２に穿通される接続棒体C３が延伸して設けられ、前記LEDランプセットC２上にはカバー体Dが被せられる。前記カバー体Dは殼体Bの接合部B２に相対して設置され、且つ前記カバー体Dには前記接合部B２に相対する相対接合部D１が延伸して設けられ、前記相対接合部D１には同時に通路D１１が設けられ、且つ前記通路D１１の末端にリブD１２が設けられ、前記リブD１２が嵌入溝B２２に嵌合される。
【００１７】
上述の構造、組み立て設計による本考案の使用時の作動状況を以下で説明する。同時に図２、図３、図４及び図５に本考案の最良の実施例の立体分解図、部分透視図、動作を示す立体図一及び動作を示す立体図二をそれぞれ示す。これらの図からはっきりと分かるように、上述の構成部材を組み立て、前記ランプAを構成するときは、回路板C１及びLEDランプセットC２を収容したランプカップCを殼体B内に配置し、且つ対応する接続棒体C３を孔部B１２上に嵌入させ、回路板C１から延伸された導線C１１を同時に導孔B１１に穿通させ、且つ導通部材B１４上に溶接して、電力を回路板C１に導通させてLEDランプセットC２に光源を発する機能を発揮させる。同時に高輝度が達せられ、且つ焼き切れやすいという問題を解決し、また前記LEDランプセットC２は複数のLEDC２１を互い違いにタワー状に排列して成り、且つ前記各LEDC２１のピンC２２が前記ランプカップC内側の内壁C１２上まで延伸されているため、前記LEDランプセットC２が光源を発生するとき、ピンC２２を介して熱エネルギーを前記ランプカップC上に伝達し、優れた放熱効果を得ることができる。
【００１８】
また、前記殼体Bの一側に延伸された接合部B２上には嵌合体B２１と嵌入溝B２２が設けられており、前記接合部B２上に取り付けられるカバー体Dには相対接合部D１が設けられているため、前記相対接合部D１を嵌合体B２１に接合した後、カバー体Dを一方向に回動させ、前記嵌合体B２１に通路D１１を通過させ、且つリブD１２を嵌入溝B２２内に嵌合させることができ、これにより前記カバー体DがしっかりとLEDランプセットC２上に固定される。前記ランプA内のLEDランプセットC２に焼き付きが起こった場合は、カバー体Dを簡易に取り外してLEDランプセットC２を交換することができる。こうして、ランプAの導通部材B１４をランプ座体Eに螺合し、前記ランプ座体Eを介して電力をランプAに導通させると、前記ランプAのLEDランプセットC２に光源を発生させるという目的を達することができる。
【実施例２】
【００１９】
図６に本考案の別の最良の実施例の部分立体図を示す。この図からはっきりと分かるように、前記カバー体Dの側縁部にさらに集光層D２を設けてもよく、これにより前記LEDランプセットC２が光源を発生するとき、集光層D２によってLEDランプセットC２の光源の強度を高めることができる。また、前記LEDC２１の排列方式はさらに縦方向の排列、横方向の排列、複数の並列排列、及び関連の複数の排列方式とすることができ、且つ、前記LEDC２１はさらに単色LED、白色光LED、フルカラーLED及び関連のＲＧB（赤、緑、青の三原色）を備えた組み合わせの発光部材とすることができる。
【００２０】
以上の説明は本考案の最良の実施例に基づくものであり、本考案の特許範囲を制限するものではなく、本考案の明細書及び図面の内容を運用した簡易な修飾及び同等効果を持つ構造の変化はすべて本考案の特許範囲内に含まれるものとする。
【００２１】
上述をまとめると、本考案のLEDランプはその使用時に確実にその効果と目的を達することができるため、本考案は実用性に優れた創作であり、実用新案登録の出願要件を満たしているため、法に基づき出願を提出するものである。
【図面の簡単な説明】
【００２２】
【図１】本考案の最良の実施例の立体図である。
【図２】本考案の最良の実施例の立体分解図である。
【図３】本考案の最良の実施例の部分透視図である。
【図４】本考案の最良の実施例の動作を示す立体図一である。
【図５】本考案の最良の実施例の動作を示す立体図二である。
【図６】本考案の別の最良の実施例の部分立体図である。
【符号の説明】
【００２３】
A        ランプ
B        殼体
B１      底板
B１１    導孔
B１２    孔部
B１３    螺合部
B１４    導通部材
B２      接合部
B２１    嵌合体
B２２    嵌入溝
C        ランプカップ
C１      回路板
C１１    導線
C１２    内壁
C２      LEDランプセット
C２１    LED
C２２    ピン
C３      接続棒体
D        カバー体
D１      相対接合部
D１１    通路
D１２    リブ
D２      集光層
E        ランプ座体
【図１】
0003142001.tif 000003
【図２】
0003142001.tif 000004
【図３】
0003142001.tif 000005
【図４】
0003142001.tif 000006
【図５】
0003142001.tif 000007
【図６】
0003142001.tif 000008